(57)【要約】【課題】本願発明の目的は、燃料タンクへの給油時に燃料遮断弁装置が早めに閉鎖し給油途中で給油が停止したり、燃料の一部がキャニスタ側に排出することのない燃料遮断弁装置を提供すること。【解決手段】ケーシングと、該ケーシング内に上下動自在に設けられるフロートと、該フロートの上部に設けられる弁体と、該弁体の下流側に連通される通気通路と、前記フロートの下方に設けられ燃料タンク内に位置する少なくとも１つ以上の開口とを有する燃料遮断弁装置において、前記フロート下部にフロートより大きい壁体を設置するものであり、また、その壁体は、フロート側面下部まで延設したもの、スナップフィットで前記ケーシングに組み付けるもの、或いは下面に突状部を設けるものであっても良い。【選択図】　　　　図１
2004144051.tif 000002
【特許請求の範囲】
【請求項１】
ケーシングと、該ケーシング内に上下動自在に設けられるフロートと、該フロートの上部に設けられる弁体と、該弁体の下流側に連通される通気通路と、前記フロートの下方に設けられ燃料タンク内に位置する少なくとも１つ以上の開口とを有する燃料遮断弁装置において、前記フロート下部にフロートより大きい壁体を設置することを特徴とする燃料遮断弁装置。
【請求項２】
前記壁体は、前記フロート側面下部まで延設したことを特徴とする請求項１記載の燃料遮断弁装置。
【請求項３】
前記壁体は、スナップフィットで前記ケーシングに組み付けることを特徴とする請求項１、２記載の燃料遮断弁装置。
【請求項４】
前記壁体は、下面に突状部を設けることを特徴とする請求項１ないし３記載の燃料遮断弁装置。
【請求項５】
前記壁体は、スプリング受けを兼ねることを特徴とする請求項１ないし４記載の燃料遮断弁装置。
【発明の詳細な説明】
【０００１】
【発明の属する技術分野】
本願発明は、燃料タンクとキャニスタとを連通する通気通路に設けられる燃料遮断弁装置に関し、特に給油時に燃料タンクより排出されるエアーによって燃料遮断弁が早めに閉弁したり、給油満タン直前にフロートの閉弁遅延に起因した通気通路への燃料漏れを防止してなる燃料遮断弁装置に関する。
【０００２】
【従来の技術】
自動車等には、エンジンの燃焼室に供給するための燃料が貯留される燃料タンクが設けられる。この燃料タンクには、タンク内の燃料量の増減に見合う空気が出入りできるように通気系が設けられている。この通気系は、燃料タンクの内部とキャニスタとを連通する系であるが、仮に燃料タンクが満タン以上となると溢れた燃料がキャニスタ側へ給送されることになり、溢れた燃料がキャニスタ側へ給送されるとキャニスタが濡れて使用不能になるため、燃料タンクの上部に燃料遮断弁装置を設けて燃料が満タンになった時、通気系を遮断してエアー及び燃料をキャニスタ側へ給送されないようにしている。
【０００３】
このような従来の燃料遮断弁装置を図６〜図８に示す。符号２は、自動車等に搭載される燃料タンクであり、該燃料タンク２内には、エンジンに供給される燃料が貯留される。燃料タンク２の上部には燃料遮断弁装置１が配設される。該燃料遮断弁装置１は通気通路６を介してキャニスタ５に連結される。なお、燃料タンク２には、フィラーキャップ４で閉蓋される給油管３が連結されており、必要に応じて該給油管３より燃料の補給が行われる。
【０００４】
該燃料遮断弁装置１を図７、８に示す。まず図７のものの概略を説明すると、燃料タンク２の上部には連通口１７が穿設され、その連通口１７内には燃料遮断弁装置１が配設される。燃料遮断弁装置１は、ケーシング７、フロート１２及びスプリング１４等からなる。ケーシング７は下方開放の中空円筒状の容器であり、その上方には弁座１５が形成される。更に、その内側面には、垂直なリブ１８が複数本放射状に且つ等間隔で設けられ、フロート１２の上下動を案内し、その内部への燃料の侵入を容易にしている。
【０００５】
ケーシング７内には、フロート１２が配置され、フロート１２を収納後にその底部にパイプ１０の上端に一体的に形成されるフランジ１０ａがケーシング７の開放端に溶着等の手段により連結される。該フランジ１０ａはその中央にパイプ１０の開口が位置し、該開口の周囲にはフロート１２との間に円筒状のスプリング１４が介在される。該スプリング１４は、通常の状態ではフロート１２を押し上げるだけのバネ力を有していないが、ケーシング７内に燃料が侵入すると、フロート１２の上動を助けるよう機能する。
【０００６】
フロート１２の上面には弁体１３が設けられ、フロート１２が上動するとやがて弁体１３は弁座１５に当接する。即ち、給油管３より給油すると、燃料タンク２内の燃料液面は上昇し、その燃料液面が、パイプ１０の下端に達すると、パイプ１０内の開口より燃料がケーシング７内に侵入し、その燃料はフロート１２を押し上げ、燃料液面が所定位置に達するとフロート１２の上面の弁体１３は弁座１５に当接する。フロート１２の上面の弁体１３が弁座１５に当接すると、通気通路６が閉鎖されるため、燃料タンク２内の圧力が上昇し給油が停止される。そしてその時の燃料液面が満タン液面位置１６となる。
【０００７】
次いで同じような機能を有する燃料遮断弁装置として図８のものの概略を説明する。ケーシング７内には図７のものと同様なフロート１２、弁体１３及び弁座１５等が設けられ同じような機能を行う。図７のものと比べて大きな相違はケーシング７の底壁に相当する部材として底板９を用いる点である。この底板９は、複数個の開口である穴１１を有しており、燃料タンク２内のエアー及び燃料はこの穴１１を介してケーシング７内に侵入し、燃料の満タン時には弁体１３が弁座に当接することになる（例えば、特許文献１参照。）。
【０００８】
ところで、図７及び図８に示すものでは給油時に以下のような２つの問題が発生する。
【０００９】
第１の問題について説明する。給油時燃料タンク２内に給油を行うと、燃料タンク２内のエアーが燃料遮断弁装置１、通気通路６及びキャニスタ５を介して大気に排出される。この時燃料タンク２内のエアーは、ケーシング７内にその底部に設けられる開口であるパイプ１０及び穴１１より侵入するが、燃料タンク２内への給油は急激に行われるためケーシング７内に侵入するエアーも急激となる。そのため、その侵入空気はフロート１２を浮上させるように作用し、最悪の場合には給油途中でフロート１２の上部に設けられる弁体１３がその上部の弁座１５に当接し通気通路６を閉鎖する過早閉弁状態の問題を引き起こす。そしてこの問題が生じると給油途中で給油が停止するという更なる問題を引き起こすことになる。
【００１０】
次に第２の問題について説明する。燃料タンク２内への給油が継続され、燃料タンク２内が満タン直前になると、燃料は燃料遮断弁装置１の開口であるパイプ１０及び穴１１に達し、これらのパイプ１０及び穴１１よりケーシング７内に侵入することになる。前述したように燃料タンク２内への給油は急激に行われるためケーシング７内に侵入する燃料も急激となる。その燃料は、フロート１２を浮上させるように作用するが、燃料が急激に侵入して上昇するため、フロート１２は燃料の上昇に追随できず、燃料の上動に遅れてフロート１２の上部に設けられる弁体１３がその上部の弁座１５に当接し通気通路６を閉鎖するという閉弁遅延の問題を引き起こす。そしてこの問題が生じると満タン直前に燃料の一部が通気通路６を介してキャニスタ５に流れ出るという更なる問題を引き起こすことになる。
【００１１】
【特許文献１】
特開平１１−３７００７号公報。
【００１２】
【発明が解決しようとする課題】
本願発明の目的は、燃料タンクへの給油時に燃料遮断弁装置が早めに閉鎖し給油途中で給油が停止したり、燃料の一部がキャニスタ側に排出することのない燃料遮断弁装置を提供することである。
【００１３】
【課題を解決するための手段】
上記目的を達成するため、本願発明は、以下のような構成を採用してなる。
【００１４】
請求項１に係る発明においては、ケーシングと、該ケーシング内に上下動自在に設けられるフロートと、該フロートの上部に設けられる弁体と、該弁体の下流側に連通される通気通路と、前記フロートの下方に設けられ燃料タンク内に位置する少なくとも１つ以上の開口とを有する燃料遮断弁装置において、前記フロート下部にフロートより大きい壁体を設置する構成。
【００１５】
そしてこのような構成により、フロート底面に直接エアー及び燃料が当たらないため、給油途中でエアーにより通気通路が閉鎖されたり、或いは燃料の一部がキャニスタ側に排出されることがなくなり、燃料タンク内への給油が支障なく行え、また、例え燃料中に空気が混入していても壁体への衝突時に容易に分離される。
【００１６】
請求項２に係る発明においては、前記壁体は、前記フロート側面下部まで延設した構成。そしてこのような構成により、フロート底面及び下部側面に直接エアー及び燃料が当たることがなくなるため、給油途中でエアーにより通気通路が閉鎖されたり、或いは燃料の一部がキャニスタ側に排出されることがなくなり、燃料タンク内への給油がより支障なく行え、また、例え燃料中に空気が混入していても壁体への衝突時に容易に分離される。
【００１７】
請求項３に係る発明においては、前記壁体は、スナップフィットで前記ケーシングに組み付ける構成。そしてこのような構成により、ケーシング内に壁体を一体成形するのはその形状が複雑で困難性を伴うところ、壁体を別体として形成することができるため、その加工が容易となる。更に、エアー及び燃料が通る孔を特に設ける必要がなくなる。
【００１８】
請求項４に係る発明においては、前記壁体は、下面に突状部を設ける構成。そしてこのような構成により、エアーを整流し、圧力損失を伴うことなく流すことができるため、その排出が滑らかになる。
【００１９】
請求項５に係る発明においては、前記壁体は、スプリング受けを兼ねる構成。そしてこのような構成により、部品を共通化でき部品点数を低減できる。
【００２０】
【発明の実施の形態】
（第１の実施の形態）
図１は第１の実施の形態の燃料遮断弁装置１を示す。この燃料遮断弁装置１は燃料がパイプの開口より侵入するものである。
【００２１】
燃料タンク２の上部には連通口２７が穿設され、連通口２７に燃料遮断弁装置１が配設される。燃料タンク２は樹脂製で、熱溶着等の手段によりその上部面に燃料遮断弁装置１が一体的に結合される。なお、燃料タンク２は金属製でも良くその場合にはビス等で一体的に結合される。
【００２２】
燃料遮断弁装置１は、燃料タンク２の上部に載置され、ケーシング２０、フロート２２及びスプリング２３等から構成される。ケーシング２０は樹脂製で、下方開放の中空円筒状の形態からなり、その上部内面には弁座２６が形成されるとともに、該弁座２６の下流側には通気通路６が連結される。また、その内側面には、垂直なリブ２０ａが複数本放射状に且つ等間隔で設けられ、フロート２２の上下動を案内する。更にその外周にはフランジ２０ｂが一体的に形成され、このフランジ２０ｂを介して燃料タンク２に取り付けられる。
【００２３】
ケーシング２０の下端部には後記の壁体３３が一体形成されるパイプ３０が垂下され、ケーシング２０の下端部にパイプ３０が垂下された状態においては、ケーシング２０内にフロート２２及びスプリング２３等が収納される。それらの部材の収納後は、スプリング２３が壁体３３の上面と、フロート２２の内壁面との間に介在し、フロート２２の上動を助けることになる。即ち、スプリング２３のバネ力は、通常時においてはフロート２２を上動する力はないが、ケーシング２０内に燃料が侵入したときには、フロート２２に作用する浮力に加味する力として作用しフロート２２をすばやく上動させる。
【００２４】
フロート２２は、樹脂製で下方開放の概略中空円筒形状を呈し、その下方には大径円筒部２２ａを、上方には小径円筒部２２ｂを形成してなる。その大径円筒部２２ａはほぼ同径で且つその外周部は、前記ケーシング２０の内側面に設けられる垂直なリブ２０ａに当接自在にされ、該リブ２０ａに沿って上下動する。また、小径円筒部２２ｂの周面には、径方向に張り出した複数個の係止片２２ｃが設けられ、更に小径円筒部２２ｂの上面中央部には、突状部２２ｄが立設される。
【００２５】
フロート２２の小径円筒部２２ｂには、弁体２４が配設される。この弁体２４は、樹脂製で、下方開放の概略中空円筒形状を呈し、その側壁面には、フロート２２の小径円筒部２２ｂの周面に形成される複数個の係止片２２ｃと係合可能な複数個の係合溝２４ａが設けられるとともに、その上面中央部には、フロート２２の小径円筒部２２ｂ上の突状部２２ｄが挿入する中空突状部２４ｂが形成される。
【００２６】
フロート２２と弁体２４との組み付けは次のように行われる。即ち、フロート２２の上部に弁体２４を置き、そのままの状態で弁体２４の上部から力を加え、弁体２４を下動させる。すると弁体２４はフロート２２の小径円筒部２２ｂの外周上に沿って押し込まれ、ついには弁体２４の係合溝２４ａ内にフロート２２の小径円筒部２２ｂの外周上に設けられる係止片２２ｃが入り込み、両部材は無理ばめ係合される。その結果、弁体２４は、切り離されることなく連結されることになるが、フロート２２の突状部２２ｄと弁体２４の中空突状部２４ｂとの間での一点支持状態とされるため、この支持部を中心にして弁体２４は前後左右に可動可能とされる。
【００２７】
また、弁体２４の上面には中空突状部２４ｂに係合する形態で円形のパッキン２５が配設され、フロート２２が上動した時には、該パッキン２５がケーシング２０の上部内面に形成される弁座２６に当接し、以後においてはエアー及び燃料が通気通路６側へ流れ出るのを防止する。この場合、前記弁体２４は、前後左右に傾斜することができるため、例えフロート２２が傾斜した状態にあってもパッキン２５と弁座２６との密着を良好に行うことができる。
【００２８】
ケーシング２０の下部には、本願発明の主要部である壁体３３を一体に形成してなるパイプ３０が垂下される。このパイプ３０は、樹脂製で、中空状の円管部３１、その上方に形成されるお椀状のフランジ３２、該フランジ３２の中央上方に形成される壁体３３及び該壁体３３上面から立設するリング状の位置決め突起３５からなる。
【００２９】
パイプ３０の中空状の円管部３１は、燃料タンク２の上部に設けられる連通口２７から燃料タンク２内に垂下され、その先端部３１ａで燃料タンク２内の満タン液面位置２８を規定する。また、パイプ３０の上方に形成されるお椀状のフランジ３２は、燃料タンク２の上部面に当接配置され、燃料タンク２が樹脂製の場合にはその上面とフランジ３２の下面との間で熱溶着が行われ、両者は固く結合される。更にフランジ３２の上方に湾曲した上面先端部には、ケーシング２０の下端面が載置され、熱溶着或いは接着材等の手段により両者は一体的に結合される。
【００３０】
前記フランジ３２の上面には円管部３１をそのまま延長した形態の円筒部３４が形成され、更に円筒部３４の上端に水平で且つリング状の壁体３３が一体的に形成されるとともに、この壁体３３の上面にはスプリング２３を位置決めするための位置決め突起３５が形成される。また、壁体３３の径は、ケーシング２０の径より小さく、且つフロート２２の外径より大きくされ、壁体３３の外周端とケーシング２０の内壁面との間に隙間３７を形成し、この隙間３７よりケーシング２０内に侵入するエアー及び燃料をフロート２２の外周上に沿って下流側である通気通路６方向へ流す。更に前記円筒部３４には複数個の連通穴３６が設けられ、円管部３１より侵入するエアー及び燃料を隙間３７方向に流す。
【００３１】
このような構成により、燃料タンク２からパイプ３０を介してケーシング２０内に侵入するエアー及び燃料は、矢印で示すように一旦壁体３３の下面に直接衝突し、方向を変え、円筒部３４に形成される複数個の連通穴３６及び隙間３７よりケーシング２０内に侵入し、通気通路６方向に流れる。
【００３２】
本願発明の燃料遮断弁装置１の作用は次の通りである。即ち、燃料遮断弁装置１を取り付けた燃料タンク２に図６で示す給油管３から給油を行うと、燃料タンク２内のエアーは燃料遮断弁装置１より通気通路６に排出され、含まれる燃料蒸気はキャニスタ５で吸着されることになる。この場合、パイプ３０を介してケーシング２０内に侵入しようとする燃料と混合されたエアーは、壁体３３に衝突し、気液分離され前記隙間３７を介してケーシング２０の内周面に沿って上動するように流れる。その結果、エアーの流れによってフロート２２が押し上げられることがなくなるため、弁体２４による給油途中での弁座２６の閉鎖が防止される。
【００３３】
続いて燃料タンク２内のエアーの排出に伴って燃料タンク２内の燃料の液面は上昇し、ついには満タン液面位置２８に達する。するとパイプ３０の先端部３１ａは燃料Ｅ１によって塞がれパイプ３０からのエアーの排出は停止する。すると燃料タンク内の圧力が上昇し、燃料Ｅ１は急激にパイプ３０内に燃料Ｅ２として侵入する。次いでパイプ３０内に侵入した燃料Ｅ２は壁体３３に直接衝突し、その力が弱められるとともに水平に向きを変え前記隙間３７を介してケーシング２０内に燃料Ｅ３として侵入する。その結果ケーシング２０内に侵入する燃料Ｅ３の量に応じてフロート２２が上動されるようになるためフロート２２の上動に先だって燃料Ｅ３が通気通路６に流れ出ることがなくなる。
【００３４】
壁体３３に衝突した燃料Ｅ２は、その後ケーシング２０内に燃料Ｅ３として侵入し、フロート２２を押し上げることになり、ケーシング２０内に所定量の燃料Ｅ３が流れ込むと、フロート２２が上動しフロート２２の上部に配設される弁体２４のパッキン２５が弁座２６に当接し、燃料Ｅ３の液面をその位置に保持する。その後燃料タンク２内の圧力はさらに上昇し、ついには給油を自動的に停止させることになる。
【００３５】
このように、燃料タンク２からパイプ３０を介してケーシング２０内に侵入するエアー及び燃料は、直接フロート２２に当たることがないため、給油途中で弁体２４が閉鎖されたり、或いは弁体２４が閉鎖される前に燃料の一部が通気通路６に流れ出ることはない。
【００３６】
（第２の実施の形態）
図２は第２の実施の形態の燃料遮断弁装置１を示す。この燃料遮断弁装置１は燃料が底板部材の開口より侵入するものである。なお、第１の実施の形態のものと同じ部分については同じ番号を付して説明する。
【００３７】
燃料タンク２の上部には連通口２７が穿設され、連通口２７に燃料遮断弁装置１が配設される。燃料タンク２は樹脂製で、熱溶着等の手段によりその上部面に燃料遮断弁装置１が一体的に結合される。
【００３８】
燃料遮断弁装置１は、燃料タンク２の上部から燃料タンク２内に垂下され、その全体はケーシング２０、フロート２２及びスプリング２３等からなる。ケーシング２０は樹脂製で、下方開放の中空円筒状の形態からなり、その上部内面には弁座２６が形成されるとともに、該弁座２６の下流側には通気通路６が連結される。また、その上部外周面には水平方向に張り出してなるフランジ４７が形成され、該フランジ４７の下面を燃料タンク２上面に載置し、両者を溶着等の手段により一体的に結合する。更にその内側面には、垂直なリブ２０ａが複数本放射状に且つ等間隔で設けられ、フロート２２の上下動を案内する。
【００３９】
ケーシング２０の下端部には後記の壁体４３が一体形成される底板部材４０が取り付けられ、ケーシング２０の下端部に取り付けられた状態においては、ケーシング２０内にフロート２２及びスプリング２３等が収納される。それらの部材の収納後は、スプリング２３が壁体４３の上面と、フロート２２の内壁面との間に介在し、フロート２２の上動を助けることになる。即ち、スプリング２３のバネ力は、通常時においてはフロート２２を上動する力はないが、ケーシング２０内に燃料が侵入したときには、フロート２２に作用する浮力に加味する力として作用しフロート２２をすばやく上動させる。
【００４０】
フロート２２は、樹脂製で下方開放の概略中空円筒形状を呈し、その頂部は弁体１３を形成し、該弁体１３が弁座２６に当接することによりケーシング２０内と通気通路６とを遮断する。
【００４１】
ケーシング２０の下部には、本願発明の主要部である壁体４３を一体に形成してなる底板部材４０が取り付けられる。この底板部材４０は、樹脂製で、お椀状の底板４１、その中央上方に柱状体４４を介して形成される円盤状の壁体４３及び該壁体４３上面から立設するリング状の位置決め突起４５からなる。
【００４２】
前記お椀状の底板４１の上方に湾曲した上面先端部には、ケーシング２０の下端面が熱溶着或いは接着材等の手段により一体的に結合され、ケーシング２０内にフロート収納空間を形成する。また、底板４１には複数個の開口４２が形成され、この開口４２を介して燃料タンク２内のエアー及び燃料がケーシング２０内に侵入する。
【００４３】
底板４１の上面には副数本の柱状体４４が円周上に等間隔で設けられているとともに、これら柱状体４４の頂部に円盤状の壁体４３が水平状態で一体的に形成され、更にこの壁体４３の上面にはスプリング２３を位置決めするための位置決め突起４５が形成される。前記壁体４３の径は、ケーシング２０の径より小さく、且つフロート２２の外径より大きくされ、壁体４３の外周端とケーシング２０の内壁面との間に隙間４６を形成し、この隙間４６よりケーシング２０内に侵入するエアー及び燃料をフロート２２の外周上に沿って下流側である通気通路６方向へ流す。
【００４４】
このような構成により、燃料タンク２から開口４２を介してケーシング２０内に侵入するエアー及び燃料は、矢印で示すように一旦壁体４３の下面に直接衝突し、方向を変え、隙間４６よりケーシング２０の室内に流入し弁体２４の方向に流れる。
【００４５】
本願発明の燃料遮断弁装置１の作用は次の通りである。即ち、燃料遮断弁装置１を取り付けた燃料タンク２に図６で示す給油管３から給油を行うと、燃料タンク２内のエアーは燃料遮断弁装置１より通気通路６に排出され、含まれる燃料蒸気はキャニスタ５で吸着されることになる。この場合、底板４１の開口４２を介してケーシング２０内に侵入しようとする燃料と混合されたエアーは、壁体４３に衝突し、気液分離され前記隙間４６を介してケーシング２０の内周面に沿って上動するように流れる。その結果、エアーの流れによってフロート２２が押し上げられることがなくなるため、弁体２４による給油途中での弁座２６の閉鎖が防止される。
【００４６】
続いて燃料タンク２内のエアーの排出に伴って燃料タンク２内の燃料の液面は上昇し、ついには満タン液面位置２８に達する。すると底板４１の開口４２は燃料によって塞がれ開口４２からのエアーの排出は停止する。すると燃料タンク２内の圧力が上昇し、第１の実施の形態で説明したのと同様に燃料は急激にケーシング２０内に侵入する。次いでケーシング２０内に侵入した燃料は壁体４３に直接衝突し、その力が弱められるとともに水平に向きを変え前記隙間４６を介してケーシング２０内に侵入する。その結果ケーシング２０内に侵入する燃料の量に応じてフロート２２が上動されるようになるためフロート２２の上動に先だって燃料が通気通路６に流れ出ることがなくなる。
【００４７】
壁体４３に衝突した燃料は、その後隙間４６を介してケーシング２０内に侵入し、フロート２２を押し上げることになり、ケーシング２０内に所定量の燃料が流れ込むと、フロート２２が上動しフロート２２の上部に形成される弁体２４が弁座２６に当接し、燃料の液面をその位置に保持する。その後燃料タンク２内の圧力はさらに上昇し、ついには給油を自動的に停止させることになる。
【００４８】
このように、燃料タンク２から底板４１の開口４２及び隙間４６を介してケーシング２０内に侵入するエアー及び燃料は、直接フロート２２に当たることがないため、給油途中で弁体２４が閉鎖されたり、或いは弁体２４が閉鎖される前に燃料の一部が通気通路６に流れ出ることはない。
【００４９】
（第３の実施の形態）
図３は第３の実施の形態の燃料遮断弁装置１を示す。この燃料遮断弁装置１は第１の実施の形態と同様な燃料タンク上に載置されるもので壁体近傍を示す要部図である。要部以外のその他の構成は図１のものと同様でありそれらの説明は省略する。
【００５０】
図１のものとの相違は壁体を別体にしたことである。パイプ３０の円管部３１の上端には、図１のものと同様のお椀状のフランジ３２が形成される。このフランジ３２の中央上面には円管部３１をそのまま延長した形態での係止手段５３が立設される。係止手段５３は周上に複数個等間隔で配設され、隣り合う係止手段５３間には連通路５５を形成する。また係止手段５３は、柱となる軸部５３ａとこの軸部５３ａの先端に形成される係止部５３ｂとからなり、係止部５３ｂには内側に突出した突出部５３ｃが設けられる。更に隣り合う係止手段５３間には、後記の壁体を定位置に支持するための支持体５４がそれぞれ設けられる。
【００５１】
符号５０は壁体であり、係止手段５３とは別体で成形される。壁体５０は円状の板体であり、その上部にはスプリング２３を位置決めするための位置決め突起５１が形成され、更に位置決め突起５１の内側には、係止手段５３の上部に形成される係止部５３ｂが挿入される複数個の開孔５２が設けられる。この壁体５０の径は、ケーシング２０の径より小さく、且つフロート２２の外径より大きくされ、壁体５０の外周端とケーシング２０の内壁面との間に隙間３７を形成し、この隙間３７より矢印で示すように侵入するエアー及び燃料をフロート２２の外周上に沿って下流側である通気通路６方向へ流す。
【００５２】
壁体５０と係止手段５３との組み付けは次のように行われる。即ち、係止手段５３の上方に壁体５０を置き、壁体５０の開孔５２を係止手段５３の係止部５３ｂに合わせ、そのままの状態で壁体５０を押し下げ、壁体５０の開孔５２内に係止手段５３の係止部５３ｂを挿入する。更に壁体５０を押し下げると、係止部５３ｂの突出部５３ｃが壁体５０の開孔５２の上方に突き出、壁体５０の上面に係止される。即ち、壁体５０は、スナップフィットでケーシング２０に組み付けられることになる。その時、壁体５０の下面は、係止手段５３の軸部５３ａ間に立設する複数本の支持体５４の上端部に当接し、それ以上下がることはない。
【００５３】
壁体５０と係止手段５３とが組み付けられた後においては、壁体５０と係止手段５３との間に複数個の連通路５５が形成され、パイプ３０より侵入するエアー及び燃料をこの連通路５５より隙間３７方向に流す。
【００５４】
このような構成により、燃料タンク２からパイプ３０を介して侵入するエアー及び燃料は、矢印で示すように一旦壁体５０の下面に衝突し、方向を変え、係止手段５３の軸部５３ａ間に形成される複数個の連通路５５及び隙間３７を介してケーシング２０内に侵入し、通気通路６方向に流れる。
【００５５】
その結果、燃料タンク２からパイプ３０を介してケーシング２０内に侵入するエアー及び燃料は、直接フロート２２に当たることがないため、給油途中で弁体２４が閉鎖されたり、或いは弁体２４が閉鎖される前に燃料の一部が通気通路６に流れ出ることはない。なお、この実施の形態ではパイプを有する燃料遮断弁装置について説明したが、第２の実施の形態のもののように複数個の開口を有する底板部材を用いるものであっても良い。
【００５６】
（第４の実施の形態）
図４は第４の実施の形態の燃料遮断弁装置１を示す。この燃料遮断弁装置１は図１の第１の実施の形態と同様な燃料タンク上に載置されるもので壁体近傍を示す要部図である。壁体に延設部を設ける以外は図１のものと同じものでありそれらの説明は省略する。
【００５７】
パイプ３０の円管部３１の上端には、図１のものと同様にお椀状のフランジ３２が形成される。このフランジ３２の中央上面には円管部３１をそのまま延長した形態の円筒部３４が形成され、更に円筒部３４の上端には、水平で且つ円形の壁体６０が一体的に形成される。この壁体６０の外周端は、延長され延設部６０ａが形成される。この延設部６０ａは、壁体６０の外周端をフロート２２の下端を内側に包み込むようにほぼ９０度上方へ折り曲げるととともに、その表面を滑らかな円弧状にしたものであり、エアー及び燃料の流れを円滑にする。また、壁体６０の径は、ケーシング２０の径より小さく、且つフロート２２の外径より大きくされ、壁体６０の延設部６０ａの表面とケーシング２０の内壁面との間に隙間３７を形成し、この隙間３７より侵入するエアー及び燃料をフロート２２の外周上に沿って下流側である通気通路６方向へ流す。更に、円筒部３４には複数個の連通穴３６が設けられ、パイプ３０より侵入するエアー及び燃料を隙間３７方向に流す。
【００５８】
このような構成により、燃料タンク２からパイプ３０を介して侵入するエアー及び燃料は、矢印で示すように一旦壁体６０の下面に当接し、方向を変え、円筒部３４に形成される複数個の連通穴３６及び隙間３７を介してケーシング２０内に侵入し、通気通路６方向に流れる。
【００５９】
その結果、燃料タンク２からパイプ３０を介してケーシング２０内に侵入するエアー及び燃料は、直接フロート２２に当たることがないため、給油途中で弁体２４が閉鎖されたり、或いは弁体２４が閉鎖される前に燃料の一部が通気通路６に流れ出ることはない。なお、この実施の形態ではパイプを有する燃料遮断弁装置について説明したが、第２の実施の形態のもののように複数個の開口を有する底板部材を用いるものであっても良い。
【００６０】
（第５の実施の形態）
図５は第５の実施の形態の燃料遮断弁装置１を示す。この燃料遮断弁装置１は図１の第１の実施の形態と同様な燃料タンク上に載置されるもので壁体近傍を示す要部図であり、壁体に延設部を設け、更に壁体下面に突状部を設ける以外は図１のものと同じものである。要部以外のその他の構成は図１のものと同様でありそれらの説明は省略する。
【００６１】
パイプ３０の円管部３１の上端には、図１のものと同様にお椀状のフランジ３２が形成される。このフランジ３２の中央上面には円管部３１をそのまま延長した形態の円筒部３４が形成され、更に円筒部３４の上端には、水平で且つ円形の壁体７０が一体的に形成される。この壁体７０の外周端は、延長され延設部７０ａが形成される。この延設部７０ａは、壁体７０の外周端をフロート２２の下端を内側に包み込むようにほぼ９０度上方へ折り曲げるととともに、その表面を滑らかな円弧状にしたものであり、エアー及び燃料の流れを円滑にする。また、壁体７０の下面のほぼ中央部は山を逆にした形状で突出してなる突条部７１を形成している。この突条部７１はその先端が円弧状にされるとともに、延設部７０ａに向かってなだらかな曲線を描き、全体としてその表面に沿って流れる流体の流れが乱流状態にならないような形状を呈している。
【００６２】
そして壁体７０の径は、ケーシング２０の径より小さく、且つフロート２２の外径より大きくされ、壁体７０の延設部７０ａの表面とケーシング２０の内壁面との間に隙間３７を形成し、この隙間３７より侵入するエアー及び燃料をフロート２２の外周上に沿って下流側である通気通路６方向へ流す。更に、円筒部３４には複数個の連通穴３６が設けられ、パイプ３０より侵入するエアー及び燃料を隙間３７方向に流す。
【００６３】
このような構成により、燃料タンク２からパイプ３０を介して侵入するエアー及び燃料は、矢印で示すように一旦壁体７０の下面に衝突するが、その下面の形状は山を逆にしたような形状の突条部７１を備えているため、衝突したエアー及び燃料はその突条部７１の表面に沿って滑らかに流れるため大きな圧力損失が生じることなく流れる。その流れは円筒部３４に形成される複数個の連通穴３６及び隙間３７を介してケーシング２０内に侵入し、通気通路６方向に流れる。
【００６４】
その結果、燃料タンク２からパイプ３０を介してケーシング２０内に侵入するエアー及び燃料は、直接フロート２２に当たることがないため、給油途中で弁体２４が閉鎖されたり、或いは弁体２４が閉鎖される前に燃料の一部が通気通路６に流れ出ることはない。なお、この実施の形態ではパイプを有する燃料遮断弁装置について説明したが、第２の実施の形態のもののように複数個の開口を有する底板部材を用いるものであっても良い。
【００６５】
本願発明は、上記各実施の態様の構成に限定されるものではなく、発明の要旨を逸脱しない範囲において適宜設計変更可能である。
【００６６】
【発明の効果】
請求項１に係る発明においては、フロート下部にフロートより大きい壁体を設置することにより、フロート底面に直接燃料タンクからのエアー及び燃料が当たらないようにすることにより、給油途中でエアーにより通気通路が閉鎖され、給油途中で給油が停止するという弊害を防止することができ、また、燃料の一部がキャニスタ側に排出されることがなくなるためキャニスタの劣化を防止できるとともに、公害の発生をも防止することができる。更に例え燃料中に空気が混入していても容易に分離させることができる。
【００６７】
請求項２に係る発明においては、壁体をフロート側面下部まで延設することにより、フロート底面及び下部側面に直接燃料タンクからのエアー及び燃料が当たらないようにすることにより、給油途中でエアーにより通気通路が閉鎖され、給油途中で給油が停止するという弊害をより確実に防止することができ、また、燃料の一部がキャニスタ側に排出されることがなくなるためキャニスタの劣化をより確実に防止できるとともに、公害の発生をもより確実に防止することができる。更に例え燃料中に空気が混入していても容易に分離させることができる。
【００６８】
請求項３に係る発明においては壁体をスナップフィットでケーシングに組み付けることにより、ケーシング内に壁体を一体成形するのはその形状が複雑で困難性を伴うところ、壁体を別体として形成することができるため、その加工が容易となり、且つ壁体が複雑な形状のものとして加工する必要が生じたとしても容易に対応でき、壁体の設計に自由度を持たせることができる。更に、エアー及び燃料が通る孔を特に設ける必要がなくなり、その分成形が容易になる。
【００６９】
請求項４に係る発明においては、壁体の下面に突状部を設けることにより、壁体に当たったエアーが乱流となって圧力損失が大きくなり、その結果エアーが流出しにくくなる弊害を防止することができる。
【００７０】
請求項５に係る発明においては、壁体をスプリング受けを兼用させることにより、部品を共通化でき部品点数を低減できるとともに、生産コストを低減することができる。
【図面の簡単な説明】
【図１】本願発明の燃料遮断弁装置を示す断面図。
【図２】本願発明の燃料遮断弁装置の他の形態を示す断面図。
【図３】燃料遮断弁装置の更に他の形態の壁体を示す要部断面図。
【図４】燃料遮断弁装置の更に他の形態の壁体を示す要部断面図。
【図５】燃料遮断弁装置の更に他の形態の壁体を示す要部断面図。
【図６】燃料タンクに取り付けられる燃料遮断弁装置の概略図。
【図７】従来の燃料遮断弁装置を示す断面図。
【図８】従来の燃料遮断弁装置の他の形態を示す断面図。
【符号の説明】
１…燃料遮断弁装置　　　　２…燃料タンク
３…給油管　　　　　　　　４…フィラーキャップ
５…キャニスタ　　　　　　６…通気通路
７，２０…ケーシング　　　９，４１…底板
１０，３０…パイプ　　　　１０ａ，３２，４７…フランジ
１１…穴　　　　　　　　　１２，２２…フロート
１３，２４…弁体　　　　　１４，２３…スプリング
１５，２６…弁座　　　　　１６，２８…満タン液面位置
１７，２７…連通口　　　　１８，２０ａ…リブ
２２ａ…大径円筒部　　　　２２ｂ…小径円筒部
２２ｃ…係止片　　　　　　２２ｄ…突状部
２４ａ…係合溝　　　　　　２４ｂ…中空突状部
２５…パッキン　　　　　　３１…円管部
３１ａ…先端部　　　　　　３３，４３，５０，６０…壁体
３４…円筒部　　　　　　　３５，４５，５１…位置決め突起
３６…連通穴　　　　　　　３７，４６…隙間
４０…底板部材　　　　　　４２…開口
４４…柱状体　　　　　　　５２…開孔
５３…係止手段　　　　　　５３ａ…軸部
５３ｂ…係止部　　　　　　５３ｃ…突出部
５４…支持体　　　　　　　５５…連通路
６０ａ，７０ａ…延設部　　７１…突条部
Ｅ１，Ｅ２，Ｅ３…燃料
【図１】
2004144051.tif 000003
【図２】
2004144051.tif 000004
【図３】
2004144051.tif 000005
【図４】
2004144051.tif 000006
【図５】
2004144051.tif 000007
【図６】
2004144051.tif 000008
【図７】
2004144051.tif 000009
【図８】
2004144051.tif 000010